(57)【要約】【課題】スピーカを端末機内の適切な位置に設置することにより音圧と音質を改善し、その設置により音が漏れたり端末機の厚さに影響したりしない携帯端末機を提供する。【解決手段】携帯端末機は、スピーカ孔が形成された端末機本体と、端末機本体に設置されるディスプレイと、ディスプレイの背面に配設され、その一部分がスピーカ孔に露出するように位置するスピーカとを含む。好ましい実施形態として、前記スピーカは、円板状に形成される。前記端末機本体の内側面と前記スピーカの露出した部分との間には、前記スピーカを支持するスピーカリブが形成されることが好ましい。【選択図】図２
2006333474.tif 000002
【特許請求の範囲】
【請求項１】
スピーカ孔が形成された端末機本体と、
前記端末機本体に設置されるディスプレイと、
前記ディスプレイの背面に配設され、その一部分が前記スピーカ孔に露出するように位置するスピーカと、
を含むことを特徴とする携帯端末機。
【請求項２】
前記スピーカが、円板状に形成されることを特徴とする請求項１に記載の携帯端末機。
【請求項３】
前記端末機本体の内側面と前記スピーカの露出した部分との間に、前記スピーカを支持するスピーカリブが形成されることを特徴とする請求項２に記載の携帯端末機。
【請求項４】
前記スピーカリブが、前記スピーカ孔の周囲を円弧状に囲むように形成されることを特徴とする請求項３に記載の携帯端末機。
【請求項５】
前記スピーカリブが、前記ディスプレイを保護するディスプレイガードリブに接して配設されることを特徴とする請求項３に記載の携帯端末機。
【請求項６】
前記スピーカの前面が、前記スピーカリブ及び前記ディスプレイの背面にそれぞれ接着されて固定されることを特徴とする請求項３に記載の携帯端末機。
【請求項７】
前記スピーカが、圧電スピーカであることを特徴とする請求項１に記載の携帯端末機。
【請求項８】
スピーカ孔が形成された端末機本体と、
前記端末機本体に設置されるディスプレイと、
前記ディスプレイの背面に配設され、その一部分が前記スピーカ孔に露出するように位置するスピーカと、
前記スピーカの前面に設置され、該スピーカから放射される音が漏れることを防止する音漏れ防止部と、
を含むことを特徴とする携帯端末機。
【請求項９】
前記スピーカが、円板状に形成されることを特徴とする請求項８に記載の携帯端末機。
【請求項１０】
前記スピーカが、圧電スピーカであることを特徴とする請求項８に記載の携帯端末機。
【請求項１１】
前記音漏れ防止部が、
前記端末機本体の内側面と前記スピーカの露出した部分との間に形成されるスピーカリブと、
前記スピーカリブ及び前記ディスプレイの背面と前記スピーカの前面との間に設置される遮音部材と、
から構成されることを特徴とする請求項８に記載の携帯端末機。
【請求項１２】
前記スピーカリブが、前記スピーカ孔の周囲を円弧状に囲むように形成されることを特徴とする請求項１１に記載の携帯端末機。
【請求項１３】
前記スピーカリブが、前記ディスプレイを保護するディスプレイガードリブに接して配設されることを特徴とする請求項１１に記載の携帯端末機。
【請求項１４】
前記遮音部材が、
前記スピーカリブの端部に沿って所定幅を有する帯状に形成され、前記スピーカリブと前記スピーカとの間に設置される第１遮音部材と、
前記ディスプレイと前記スピーカとが重なる領域に設置される第２遮音部材と、
から構成されることを特徴とする請求項１１に記載の携帯端末機。
【請求項１５】
前記第２遮音部材が、平板状に形成されることを特徴とする請求項１４に記載の携帯端末機。
【請求項１６】
前記第１遮音部材と前記第２遮音部材間のギャップが、前記ディスプレイと前記ディスプレイガードリブ間のギャップより小さいか等しく形成されることを特徴とする請求項１４に記載の携帯端末機。
【請求項１７】
前記スピーカの前面が、前記スピーカリブ及び前記ディスプレイの背面にそれぞれ接着されて固定されることを特徴とする請求項１１に記載の携帯端末機。
【請求項１８】
一側にスピーカ孔が形成され、該スピーカ孔に隣接してディスプレイが設置された第１本体と、
前記ディスプレイの背面に配設され、その一部分が前記スピーカ孔に露出するように位置するスピーカと、
前記第１本体がスライド移動自在に結合される第２本体と、
前記第１本体と前記第２本体との間に設置され、前記第１本体がスライド移動するようにガイドするスライドモジュールとを含み、
前記スピーカが、前記スライドモジュールに挿入されて設置されることを特徴とする携帯端末機。
【請求項１９】
前記スライドモジュールが、
前記第１本体の下面に固定される第１スライド部材と、
前記第２本体の上面に固定される第２スライド部材と、
前記第１スライド部材と前記第２スライド部材とをスライド自在に連結する連結部材と、
から構成されることを特徴とする請求項１８に記載の携帯端末機。
【請求項２０】
前記第１スライド部材に挿入空間が形成され、該挿入空間に前記スピーカが収容されることを特徴とする請求項１９に記載の携帯端末機。
【請求項２１】
前記スピーカが、円板状に形成されることを特徴とする請求項１８に記載の携帯端末機。
【請求項２２】
前記スピーカが、圧電スピーカであることを特徴とする請求項１８に記載の携帯端末機。
【請求項２３】
前記スピーカの前面に設置され、該スピーカから放射される音が漏れることを防止する音漏れ防止部をさらに含むことを特徴とする請求項１８に記載の携帯端末機。
【請求項２４】
前記音漏れ防止部が、
前記端末機本体の内側面と前記スピーカの露出した部分との間に形成されるスピーカリブと、
前記スピーカリブ及び前記ディスプレイの背面と前記スピーカの前面との間に設置される遮音部材と、
から構成されることを特徴とする請求項２３に記載の携帯端末機。
【請求項２５】
前記スピーカリブが、前記スピーカ孔の周囲を円弧状に囲むように形成されることを特徴とする請求項２４に記載の携帯端末機。
【請求項２６】
前記スピーカリブが、前記ディスプレイを保護するディスプレイガードリブに接して配設されることを特徴とする請求項２４に記載の携帯端末機。
【請求項２７】
前記遮音部材が、
前記スピーカリブの端部に沿って所定幅を有する帯状に形成され、前記スピーカリブと前記スピーカとの間に設置される第１遮音部材と、
前記ディスプレイと前記スピーカとが重なる領域に設置される第２遮音部材と、
から構成されることを特徴とする請求項２４に記載の携帯端末機。
【請求項２８】
前記第２遮音部材が、平板状に形成されることを特徴とする請求項２４に記載の携帯端末機。
【請求項２９】
前記第１遮音部材と前記第２遮音部材間のギャップが、前記ディスプレイと前記ディスプレイガードリブ間のギャップより小さいか等しく形成されることを特徴とする請求項２７に記載の携帯端末機。
【請求項３０】
前記スピーカの前面が、前記スピーカリブ及び前記ディスプレイの背面にそれぞれ接着されて固定されることを特徴とする請求項２４に記載の携帯端末機。
【発明の詳細な説明】
【技術分野】
【０００１】
本発明は、携帯端末機に関し、特に、スピーカを端末機内の適切な位置に設置することにより音圧と音質を改善し、その設置により音が漏れたり端末機の厚さに影響したりしないように構成される携帯端末機に関する。
【背景技術】
【０００２】
携帯電話機やＰＤＡなどを含む携帯端末機は、ユーザが移動中に無線送受信や情報の閲覧又は処理を行い得るようにする電子機器の１つである。
【０００３】
近年、情報通信技術とメモリ技術が発展するにつれて、マルチメディアを送受信したり鑑賞する機能を備えた携帯端末機が増加している。例えば、ＶＯＤやゲームなどの動画像ファイルの再生、ＭＰ３などの音楽ファイルの再生、さらには、衛星通信を利用したＴＶ放送の受信機能まで搭載したものもある。
【０００４】
このように、マルチメディアが携帯端末機に積極的に活用されることによって、携帯端末機に設置されるスピーカ装置も、単純な通話音の伝達や通知音の伝達から向上して、よりよい音質とパワーを提供できるように発展している。
【０００５】
一方、携帯端末機は、携帯しやすく、かつ使用しやすくするために、小型化、スリム化している。このような傾向は、携帯端末機の設計にも大きな影響を及ぼす。これは、広い空間を占める部品の代わりに小さくて集積度の高い部品を使用し、不要な空間や無駄な空間を減らすために部品を適切に配設しなければならないことを意味する。
【０００６】
従来の携帯端末機に使用される代表的なスピーカの１つであるダイナミックスピーカを利用する場合、ＭＰ３ファイルやＡＡＣファイルなどの音楽ファイルの再生に適した音質や音圧を提供するためには、少なくとも１５ｍｍ（Ｌ）×１０ｍｍ（Ｗ）×３．６ｍｍ（Ｔ）のサイズを必要とする。
【発明の開示】
【発明が解決しようとする課題】
【０００７】
しかし、このように体積の大きいダイナミックスピーカを携帯端末機に設置するためには、それだけ広い空間を必要とするが、この場合、相対的に他の部品の設置面積を縮小させるという問題があった。
【０００８】
特に、ディスプレイ装置がより多様で多くの情報を表示するために大きくなっており、携帯端末機内でスピーカとディスプレイ装置を隣接して配設する場合、それだけ機器全体を大きくしたり不要空間を作ったりするという問題があった。
【０００９】
本発明は、このような従来技術の問題を解決するためになされたもので、音楽ファイルの鑑賞に適した高い音質と音圧を提供するスピーカを備えた携帯端末機を提供することを目的とする。
【００１０】
本発明の他の目的は、携帯端末機に設置されるスピーカの面積が大きくなっても、スピーカの前方への音と後方への音が混ざって相殺されることを防止し得る携帯端末機を提供することにある。
【００１１】
本発明のさらに他の目的は、このようなスピーカが設置されても、厚さへの影響を受けない携帯端末機を提供することにある。
【課題を解決するための手段】
【００１２】
このような目的を達成するために、本発明に係る携帯端末機は、スピーカ孔が形成された端末機本体と、該端末機本体に設置されるディスプレイと、該ディスプレイの背面に配設され、その一部分が前記スピーカ孔に露出するように位置するスピーカとを含むことを特徴とする。
【００１３】
本発明の好ましい実施形態として、前記スピーカは、円板状に形成されることを特徴とする。
【００１４】
前記端末機本体の内側面と前記スピーカの露出した部分との間には、前記スピーカを支持するスピーカリブが形成されることが好ましい。
【００１５】
前記スピーカリブは、前記スピーカ孔の周囲を円弧状に囲むように形成されることが好ましい。
【００１６】
前記スピーカリブは、前記ディスプレイを保護するディスプレイガードリブに接して配設されることが好ましい。
【００１７】
前記スピーカの前面は、前記スピーカリブ及び前記ディスプレイの背面にそれぞれ接着されて固定されることが好ましい。
【００１８】
前記スピーカは、圧電スピーカであることが好ましい。
【００１９】
また、本発明に係る携帯端末機は、スピーカ孔が形成された端末機本体と、該端末機本体に設置されるディスプレイと、該ディスプレイの背面に配設され、その一部分が前記スピーカ孔に露出するように位置するスピーカと、該スピーカの前面に設置され、該スピーカから放射される音が漏れることを防止する音漏れ防止部とを含むことを特徴とする。
【００２０】
本発明の好ましい実施形態として、前記音漏れ防止部は、前記端末機本体の内側面と前記スピーカの露出した部分との間に形成されるスピーカリブと、該スピーカリブ及び前記ディスプレイの背面と前記スピーカの前面との間に設置される遮音部材とから構成されることを特徴とする。
【００２１】
前記スピーカリブは、前記スピーカ孔の周囲を円弧状に囲むように形成されることが好ましい。
【００２２】
前記スピーカリブは、前記ディスプレイを保護するディスプレイガードリブに接して配設されることが好ましい。
【００２３】
前記遮音部材は、前記スピーカリブの端部に沿って所定幅を有する帯状に形成され、前記スピーカリブと前記スピーカとの間に設置される第１遮音部材と、前記ディスプレイと前記スピーカとが重なる領域に設置される第２遮音部材とから構成されることが好ましい。
【００２４】
前記第２遮音部材は、平板状に形成されることが好ましい。
【００２５】
前記第１遮音部材と前記第２遮音部材間のギャップは、前記ディスプレイと前記ディスプレイガードリブ間のギャップより小さいか等しく形成されることが好ましい。
【００２６】
さらに、本発明に係る携帯端末機は、一側にスピーカ孔が形成され、該スピーカ孔に隣接してディスプレイが設置された第１本体と、前記ディスプレイの背面に配設され、その一部分が前記スピーカ孔に露出するように位置するスピーカと、前記第１本体がスライド移動自在に結合される第２本体と、前記第１本体と前記第２本体との間に設置され、前記第１本体がスライド移動するようにガイドするスライドモジュールとを含み、前記スピーカは、前記スライドモジュールに挿入されて設置されることを特徴とする。
【００２７】
前記スライドモジュールは、前記第１本体の下面に固定される第１スライド部材と、前記第２本体の上面に固定される第２スライド部材と、前記第１スライド部材と前記第２スライド部材とをスライド自在に連結する連結部材とから構成されることが好ましい。
【００２８】
前記第１スライド部材には挿入空間が形成され、該挿入空間に前記スピーカが収容されることが好ましい。
【００２９】
上記目的を達成するために、本発明は、例えば、以下の手段を提供する：
（項目１）
スピーカ孔が形成された端末機本体と、
前記端末機本体に設置されるディスプレイと、
前記ディスプレイの背面に配設され、その一部分が前記スピーカ孔に露出するように位置するスピーカと、
を含むことを特徴とする携帯端末機。
（項目２）
前記スピーカが、円板状に形成されることを特徴とする項目１に記載の携帯端末機。
（項目３）
前記端末機本体の内側面と前記スピーカの露出した部分との間に、前記スピーカを支持するスピーカリブが形成されることを特徴とする項目２に記載の携帯端末機。
（項目４）
前記スピーカリブが、前記スピーカ孔の周囲を円弧状に囲むように形成されることを特徴とする項目３に記載の携帯端末機。
（項目５）
前記スピーカリブが、前記ディスプレイを保護するディスプレイガードリブに接して配設されることを特徴とする項目３に記載の携帯端末機。
（項目６）
前記スピーカの前面が、前記スピーカリブ及び前記ディスプレイの背面にそれぞれ接着されて固定されることを特徴とする項目３に記載の携帯端末機。
（項目７）
前記スピーカが、圧電スピーカであることを特徴とする項目１に記載の携帯端末機。
（項目８）
スピーカ孔が形成された端末機本体と、
前記端末機本体に設置されるディスプレイと、
前記ディスプレイの背面に配設され、その一部分が前記スピーカ孔に露出するように位置するスピーカと、
前記スピーカの前面に設置され、該スピーカから放射される音が漏れることを防止する音漏れ防止部と、
を含むことを特徴とする携帯端末機。
（項目９）
前記スピーカが、円板状に形成されることを特徴とする項目８に記載の携帯端末機。
（項目１０）
前記スピーカが、圧電スピーカであることを特徴とする項目８に記載の携帯端末機。
（項目１１）
前記音漏れ防止部が、
前記端末機本体の内側面と前記スピーカの露出した部分との間に形成されるスピーカリブと、
前記スピーカリブ及び前記ディスプレイの背面と前記スピーカの前面との間に設置される遮音部材と、
から構成されることを特徴とする項目８に記載の携帯端末機。
（項目１２）
前記スピーカリブが、前記スピーカ孔の周囲を円弧状に囲むように形成されることを特徴とする項目１１に記載の携帯端末機。
（項目１３）
前記スピーカリブが、前記ディスプレイを保護するディスプレイガードリブに接して配設されることを特徴とする項目１１に記載の携帯端末機。
（項目１４）
前記遮音部材が、
前記スピーカリブの端部に沿って所定幅を有する帯状に形成され、前記スピーカリブと前記スピーカとの間に設置される第１遮音部材と、
前記ディスプレイと前記スピーカとが重なる領域に設置される第２遮音部材と、
から構成されることを特徴とする項目１１に記載の携帯端末機。
（項目１５）
前記第２遮音部材が、平板状に形成されることを特徴とする項目１４に記載の携帯端末機。
（項目１６）
前記第１遮音部材と前記第２遮音部材間のギャップが、前記ディスプレイと前記ディスプレイガードリブ間のギャップより小さいか等しく形成されることを特徴とする項目１４に記載の携帯端末機。
（項目１７）
前記スピーカの前面が、前記スピーカリブ及び前記ディスプレイの背面にそれぞれ接着されて固定されることを特徴とする項目１１に記載の携帯端末機。
（項目１８）
一側にスピーカ孔が形成され、該スピーカ孔に隣接してディスプレイが設置された第１本体と、
前記ディスプレイの背面に配設され、その一部分が前記スピーカ孔に露出するように位置するスピーカと、
前記第１本体がスライド移動自在に結合される第２本体と、
前記第１本体と前記第２本体との間に設置され、前記第１本体がスライド移動するようにガイドするスライドモジュールとを含み、
前記スピーカが、前記スライドモジュールに挿入されて設置されることを特徴とする携帯端末機。
（項目１９）
前記スライドモジュールが、
前記第１本体の下面に固定される第１スライド部材と、
前記第２本体の上面に固定される第２スライド部材と、
前記第１スライド部材と前記第２スライド部材とをスライド自在に連結する連結部材と、
から構成されることを特徴とする項目１８に記載の携帯端末機。
（項目２０）
前記第１スライド部材に挿入空間が形成され、該挿入空間に前記スピーカが収容されることを特徴とする項目１９に記載の携帯端末機。
（項目２１）
前記スピーカが、円板状に形成されることを特徴とする項目１８に記載の携帯端末機。
（項目２２）
前記スピーカが、圧電スピーカであることを特徴とする項目１８に記載の携帯端末機。
（項目２３）
前記スピーカの前面に設置され、該スピーカから放射される音が漏れることを防止する音漏れ防止部をさらに含むことを特徴とする項目１８に記載の携帯端末機。
（項目２４）
前記音漏れ防止部が、
前記端末機本体の内側面と前記スピーカの露出した部分との間に形成されるスピーカリブと、
前記スピーカリブ及び前記ディスプレイの背面と前記スピーカの前面との間に設置される遮音部材と、
から構成されることを特徴とする項目２３に記載の携帯端末機。
（項目２５）
前記スピーカリブが、前記スピーカ孔の周囲を円弧状に囲むように形成されることを特徴とする項目２４に記載の携帯端末機。
（項目２６）
前記スピーカリブが、前記ディスプレイを保護するディスプレイガードリブに接して配設されることを特徴とする項目２４に記載の携帯端末機。
（項目２７）
前記遮音部材が、
前記スピーカリブの端部に沿って所定幅を有する帯状に形成され、前記スピーカリブと前記スピーカとの間に設置される第１遮音部材と、
前記ディスプレイと前記スピーカとが重なる領域に設置される第２遮音部材と、
から構成されることを特徴とする項目２４に記載の携帯端末機。
（項目２８）
前記第２遮音部材が、平板状に形成されることを特徴とする項目２４に記載の携帯端末機。
（項目２９）
前記第１遮音部材と前記第２遮音部材間のギャップが、前記ディスプレイと前記ディスプレイガードリブ間のギャップより小さいか等しく形成されることを特徴とする項目２７に記載の携帯端末機。
（項目３０）
前記スピーカの前面が、前記スピーカリブ及び前記ディスプレイの背面にそれぞれ接着されて固定されることを特徴とする項目２４に記載の携帯端末機。
【発明の効果】
【００３０】
本発明においては、スピーカをディスプレイの背面に配設することによって、端末機本体をより広くしたり、ディスプレイの面積を減らすことなく、音楽鑑賞に適したサイズのスピーカを採用できる。
【００３１】
また、スピーカをディスプレイの背面に配設することによってスピーカの前方への音と後方への音が混ざる危険性は、本発明の音漏れ防止部により解決される。
【００３２】
さらに、スライド型携帯端末機の場合、スライドモジュールにスピーカを挿入することにより、第１本体の厚さが増加することを防止するだけでなく、部品の設置空間の浪費を防止できる。
【発明を実施するための最良の形態】
【００３３】
以下、添付の図面を参照して本発明に係る携帯端末機の好ましい実施形態を説明する。本図面においてはスライド型携帯端末機を示しているが、本発明は、ストレート型、折り畳み型、回転型など、他のタイプの携帯端末機に適用することもできる。
【００３４】
図１は本発明に係る携帯端末機の斜視図である。
【００３５】
図１に示すように、本発明に係る携帯端末機１は、音を外部に放出し得るように一側にスピーカ孔１１が形成され、スピーカ孔１１に隣接した下部に視覚情報を表示するディスプレイ１２が設置された第１本体１０と、第１本体１０にスライド移動自在に連結される第２本体２０とから構成される。
【００３６】
第１本体１０には、ディスプレイ１２の下側に、入力のために複数のキーボタンを有する第１キーパッド１３が設置され、第２本体２０には、第１本体１０がスライド移動されることによって開閉される部分に、入力のために複数のキーボタンを有する第２キーパッド２１が設置される。
【００３７】
図２及び図３に第１本体１０の内部に設置されるディスプレイ、遮音部材、スピーカを示す。図２は第１本体１０の内部に設置されるディスプレイ、遮音部材、スピーカの分解された状態を示す後方からの分解斜視図であり、図３は図２の後方からの結合状態を示す斜視図である。
【００３８】
図２及び図３に示すように、スピーカ３０は、第１本体１０のディスプレイ１２の背面に配設され、その一部分がスピーカ孔１１に露出するように位置する。好ましくは、スピーカ３０としては、直径の大きい（すなわち、音圧とパワーを大きくできる）円板状のものが使用される。
【００３９】
また、スピーカ３０としては、消費電力が少なくて薄い形状に製作し得るという利点を有するセラミック製のスピーカを使用し、特に、圧電スピーカを使用することが好ましい。
【００４０】
図２に示すように、第１本体１０の内側面には、スピーカ３０の前面に設置され、スピーカ３０から放射される音が漏れることを防止する音漏れ防止部が形成される。
【００４１】
前記音漏れ防止部は、第１本体１０の内側面とスピーカ３０の露出した部分との間に形成されるスピーカリブ１４と、スピーカリブ１４及びディスプレイ１２の背面とスピーカ３０の前面との間に設置される遮音部材３１とから構成される。
【００４２】
スピーカリブ１４は、音が側方に漏れないように、スピーカ孔１１の周囲を円弧状に囲むように形成され、その端部はスピーカ３０の露出した部分の周方向に沿って接してスピーカ３０を支持する。
【００４３】
好ましくは、スピーカリブ１４は、スピーカ３０の露出した部分の面積を最も広く確保し得るように、外部の衝撃からディスプレイ１２を保護するためにディスプレイ１２の周囲に形成されるディスプレイガードリブ１５に接して配設される。また、スピーカ３０の前面は、スピーカリブ１４及びディスプレイ１２の背面にそれぞれ接着されて固定されることが好ましい。
【００４４】
遮音部材３１は、スピーカ３０の前面の上部に取り付けられる第１遮音部材３２と、下部に取り付けられる第２遮音部材３３とから構成される。第１遮音部材３２は、スピーカリブ１４の端部に沿って所定幅を有する帯状に形成され、スピーカリブ１４とスピーカ３０との間に設置され、第２遮音部材３３は、ディスプレイ１２とスピーカ３０とが重なる領域に設置される。
【００４５】
第２遮音部材３３は、スピーカ３０の後方に向かう音と、スピーカ孔１１に直接向かえない領域で発生する音、すなわち、スピーカ３０のディスプレイ１２と重なる領域で発生する音が混ざることを防止するために、その重なる領域で発生する音を全て遮蔽し得るように、平板状に形成される。
【００４６】
好ましくは、第１遮音部材３２と第２遮音部材３３との間から放射される音を最小化するために、第１遮音部材３２と第２遮音部材３３間のギャップｇ１は、ディスプレイ１２とディスプレイガードリブ１５間のギャップｇ２（一般的に、約０．１５ｍｍである）より小さいか等しく形成される。
【００４７】
また、遮音部材３１は、スピーカリブ１４とスピーカ３０との間、又はディスプレイ１２とスピーカ３０との間の隙間を密閉して音が漏れないように遮断する材質、例えば、発泡樹脂や多孔性樹脂などの材質で形成できる。
【００４８】
図４及び図５に示すように、スライドモジュール４０は、第１本体１０の下面に固定される第１スライド部材４１と、第２本体の上面に固定される第２スライド部材４２と、第１スライド部材４１と第２スライド部材４２とをスライド自在に連結する連結部材４３とから構成される。
【００４９】
第１スライド部材４１には、スピーカ３０を前後方向に挿入し得るように、挿入空間４１ａが形成されている。特に、スピーカ３０の厚さｔ１を第１スライド部材４１の厚さｔ２より小さくした場合、スピーカ３０は第１スライド部材４１に完全に挿入される。従って、スピーカ３０がディスプレイ１２の背面に重なるように配設されることによって、予想される厚さの増加分を相殺し、端末機全体の厚さの増加を防止できる。
【００５０】
以下、このように構成された携帯端末機の動作を説明する。
【００５１】
スピーカ３０がスピーカリブ１４及びディスプレイ１２の背面に設置されると、スピーカ３０の前面のうち、スピーカ孔１１に露出した部分から放射される音は、スピーカ孔１１から第１本体１０の前方に放出される。また、スピーカ３０の背面から放射される音は、第１本体１０の内部空間で共鳴し、その共鳴した音がユーザに伝えられる。
【００５２】
これにより、スピーカ３０の前面の露出した部分から放射される高い音域帯の音は、スピーカ孔１１を通過してそのままユーザに伝えられるので、人の音声や楽器の音の鑑賞に適し、スピーカ３０の背面から放射される音は、第１本体１０の内部空間で共鳴するので、中間又は低い音域帯の音の鑑賞に適している。
【００５３】
遮音部材３１とスピーカ３０がディスプレイ１２の背面に順次設置されると、スピーカ３０の背面で発生する音と、スピーカ３０の前面のうち、ディスプレイ１２と重なる領域で発生する音は、第１遮音部材３２と第２遮音部材３３により混ざらない。
【００５４】
もし、音がディスプレイ１２とディスプレイガードリブ１５間のギャップｇ２内に入っても、第１遮音部材３２により遮断されるため、スピーカ孔１１から第１本体１０の前方に放出されない。
【００５５】
第１遮音部材３２と第２遮音部材３３とがギャップｇ１により分離されているため、外部の衝撃によりディスプレイ３０がディスプレイガードリブ１５内で少しずつ移動することを妨害しなくなる。
【００５６】
このような構成により、薄くて広い円板状の圧電スピーカ３０をディスプレイ１２の背面に配設することによって、端末機をより広くしたり、ディスプレイの面積を減らすことなく、音楽鑑賞に適した大きいサイズを有するスピーカを採用することができる。
【００５７】
また、スピーカ３０をディスプレイ１２の背面に配設することによってスピーカ３０の前方への音と後方への音が混ざる危険性は、本発明の音漏れ防止部により解決される。
【００５８】
さらに、スライド型携帯端末機の場合、スライドモジュール４０の挿入空間４１ａにスピーカ３０を挿入して設置することにより、第１本体１０の厚さが増加することを防止するだけでなく、部品の設置空間の浪費を防止できる。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００６０】
【図１】本発明に係る携帯端末機の斜視図である。
【図２】図１の第１本体の内部に設置されるディスプレイ、遮音部材、スピーカの分解された状態を示す後方からの分解斜視図である。
【図３】図２の後方からの結合状態を示す斜視図である。
【図４】図１の携帯端末機の側断面図である。
【図５】図４のスライドモジュールとスピーカの斜視図である。
【符号の説明】
【００６１】
１０  第１本体
１１  スピーカ孔
１２  ディスプレイ
１３  第１キーパッド
１４  スピーカリブ
１５  ディスプレイガードリブ
２０  第２本体
２１  第２キーパッド
３０  スピーカ
３１  遮音部材
３２  第１遮音部材
３３  第２遮音部材
ｇ１  第１遮音部材と第２遮音部材間のギャップ
ｇ２  ディスプレイとディスプレイガードリブ間のギャップ
４０  スライドモジュール
４１  第１スライド部材
４１ａ  挿入空間
４２  第２スライド部材
４３  連結部材
【図１】
2006333474.tif 000003
【図２】
2006333474.tif 000004
【図３】
2006333474.tif 000005
【図４】
2006333474.tif 000006
【図５】
2006333474.tif 000007